(57)【要約】【課題】簡単な構成で且つ省スペースで、光源のハーネスの被覆が劣化・損傷することなく、安定した照射光量を得ることができる画像読取り装置およびこれを用いた画像形成装置を提供する。【解決手段】露光ランプ３Ａ、光学レンズ体６、ＣＣＤ７を有し、原稿をライン毎に走査するスキャナ部３を備えた画像読取り装置４０Ａにおいて、スキャナ部３として、露光ランプ３Ａを装置本体側に固定し、露光ランプ３Ａからの光を反射する反射導光ミラー４Ａと、反射導光ミラー４Ａにより反射された光を原稿Ｇに向けて照射する拡散板４Ｂと、反射導光ミラー４Ａと拡散板４Ｂとを移動して光を照射させる第１の走査ユニット４と、拡散板４Ｂから原稿Ｇに照射された光を反射し第１の走査ユニット４の移動量に対応して移動して原稿ＧからＣＣＤ７への照射光量を一定にする第２の走査ユニット５を備えたことを特徴とするものである。【選択図】図１
2007288377.tif 000002
【特許請求の範囲】
【請求項１】
原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有する画像読取り手段を備え、
原稿画像をライン毎に走査して前記光電変換素子により電気信号に変換して出力するようにした画像読取り装置において、
前記画像読取り手段は、
前記光源を画像読取り手段の本体側に固定し、
前記光源からの光を反射して前記照射部材の側端部より導光する反射導光部材を備えたことを特徴とする画像読取り装置。
【請求項２】
前記反射導光部材は、前記移動照射手段の主走査方向側端部に設けられ、
前記光源は、前記移動照射手段の主走査方向側端部側で前記反射導光部材と対向する位置に設けられていることを特徴とする請求項１に記載の画像読取り装置。
【請求項３】
前記光源による照射光は、平行光であることを特徴とする請求項１または２に記載の画像読取り装置。
【請求項４】
前記光源は、点光源とレンズ部材とを備えたことを特徴とする請求項１乃至３のうちの何れか一項に記載の画像読取り装置。
【請求項５】
前記光源として、ＬＥＤを用いることを特徴とする請求項１乃至４のうちの何れか一項に記載の画像読取り装置。
【請求項６】
前記光源として、レーザ光源を用いることを特徴とする請求項１乃至４のうちの何れか一項に記載の画像読取り装置。
【請求項７】
前記光路長調整手段は、前記移動照射手段の移動量に応じて、前記光源から原稿照射面までの光路の距離を一定に保つ光路長調整機能を備えたことを特徴とする請求項１乃至６のうちの何れか一項に記載の画像読取り装置。
【請求項８】
原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子と、前記照射部材から原稿に照射された光を反射するとともに前記移動照射手段の移動量に対応して移動して光源から光電変換素子までの光路長を一定にする光路長調整手段とを有する画像読取り手段を備え、
原稿画像をライン毎に走査して前記光電変換素子により電気信号に変換して出力するようにした画像読取り装置において、
前記画像読取り手段は、
前記光源を画像読取り手段の本体側に固定し、
前記光路長調整手段は、前記移動照射手段の移動量に応じて前記光源から原稿照射面までの光路の距離を一定に保つ第１の照射光反射部材と、前記移動照射手段の移動量に応じて原稿照射面から前記光電変換素子までの光路の距離を一定に保つ第２の照射光反射部材とを備えたことを特徴とする画像読取り装置。
【請求項９】
前記光路長調整手段は、前記第１の照射光反射部材を通る光路と前記第２の照射光反射部材を通る光路とがそれぞれ干渉しない領域で略平行になるように、前記第１の照射光反射部材及び第２の照射光反射部材とを並設したことを特徴とする請求項８に記載の画像読取り装置。
【請求項１０】
前記光路長調整手段は、前記第１の照射光反射部材と第２の照射光反射部材とを一体的に移動可能に備えたことを特徴とする請求項８または９に記載の画像読取り装置。
【請求項１１】
前記照射部材は、入射した光を拡散させて出射する拡散照射機能を備えたことを特徴とする請求項１乃至１０のうちの何れか一項に記載の画像読取り装置。
【請求項１２】
原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有する画像読取り手段を備え、原稿画像をライン毎に走査して前記光電変換素子により電気信号に変換して出力するようにした画像読取り装置が搭載された画像形成装置において、
前記画像読取り装置として、請求項１乃至１１のうちの何れか一項に記載の画像読取り装置を備えたことを特徴とする画像形成装置。
【発明の詳細な説明】
【技術分野】
【０００１】
本発明は、画像読取り装置及びそれを用いた画像形成装置に係り、特に、原稿載置台上に載置された原稿から画像を読取る画像読取り装置及びそれを用いた画像形成装置に関する。
【背景技術】
【０００２】
従来、複写機やスキャナ装置、ファクシミリ装置等の画像形成装置において、原稿から画像を光学的に走査して読取る画像読取り装置が搭載されている。
【０００３】
このような画像読取り装置による画像を読取る手法は、従来技術として、画像読取り装置を所定位置に固定して、画像を読取る位置に配置された透明のコンタクトガラス（プラテンガラス）に沿って原稿を移動しながらスキャナ（画像読取り手段）により画像を読取る方式（以下説明上、「原稿移動方式」と称する。）と、原稿載置台に固定された原稿に沿ってスキャナを移動しながら画像を読取る方式（以下説明上、「原稿固定方式」と称する。）に大別される。
【０００４】
原稿移動方式による原稿読取り装置は、複数の原稿を積載して一枚ずつ原稿を画像読取り装置に自動供給して連続的に画像読取り処理を可能にした自動原稿搬送装置（ＡＤＦ）を搭載して、画像の読取りが終了した原稿を排紙トレイに自動排出することで、連続的に画像読取り処理を可能にして高速・大量処理に対応した画像形成装置に広く展開されている。
【０００５】
一方、原稿固定方式による画像読取り装置は、高速処理では原稿移動方式には及ばないが、簡単な構造により安価で構成できるため一般に広く用いられている。
【０００６】
ここで、従来の原稿固定方式による画像読取り装置について図面を参照して簡単に説明する。図１５は従来の画像読取り装置における画像読取り部の構成の一例を示す説明図である。
【０００７】
従来の原稿固定方式による画像読取り装置４０１は、図１５に示すように、原稿Ｇに対向して往復移動するミラーベース４０４に原稿照射用の光源４０３が固定され、その光源４０３への電力供給をハーネス４０３Ａにより行なうようにしたものが一般的である。
【０００８】
原稿読取り装置４０１による画像読取りは、ミラーベース４０４を移動させながら原稿Ｇを走査し、光源４０３で照射された原稿Ｇの反射光像を反射ミラー４０４Ｃにより２・３ミラー４０５に導き、２・３ミラー４０５内の反射ミラー４０５Ａ，４０５ＢによってＣＣＤ７に照射して読取るようにされている。
図中の符号７ａはＣＣＤ７を一体的に収納した原稿画像読取りユニットである。
【０００９】
しかしながら、原稿Ｇを読取る場合には、ミラーベース４０４の移動に伴い光源４０３が移動するため、長期に渡り稼働するとハーネス４０３Ａの被覆が擦れて劣化・損傷するという問題があった。しかも、近年の高速化に対応するためには高速でミラーベース４０４を動作させる必要があり、ハーネス４０３Ａの劣化対策が必要とされている。
【００１０】
そのため、光源を装置本体に固定して、走行するミラーベースの反射板で原稿に照射する手法も考えられる。しかしながら、単にミラーベースの反射板で原稿に反射すると、光源と反射板との距離により光量が変化してしまい適正な光量を得ることができないという問題が生じる。
【００１１】
そこで、光源を装置本体に固定し、光源からの照射光を平行光に変換する光学部品を備え、走行するミラーベースの移動に伴い、原稿からの目的地点までの光路長の距離を調整するために第２のミラーベースを移動するようにしたものが開示されている（特許文献１，２を参照）。
【特許文献１】特開昭６２−７５６２８号公報
【特許文献２】特開平３―２９１６４１号公報
【発明の開示】
【発明が解決しようとする課題】
【００１２】
しかしながら、上記従来の方式では、原稿を照射するための光源の構成や照射光を確実に照射するための光路の構成が複雑になり、とりわけ光源の照射光を平行光に変換するための光学部品が複雑なものとなるため、装置が大型化するという問題がある。
【００１３】
本発明は、上記従来の問題点を鑑みてなされたものであって、簡単な構成で且つ省スペースで、光源のハーネスの被覆が擦れて劣化・損傷することなく、安定した照射光量を得ることができる省スペースな画像読取り装置およびこれを用いた画像形成装置を提供することを目的とする。
【課題を解決するための手段】
【００１４】
上述した課題を解決するための本発明に係る画像読取り装置及びそれを用いた画像形成装置の構成は、次の通りである。
請求項１に記載した画像読取り装置は、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有する画像読取り手段を備え、原稿画像をライン毎に走査して前記光電変換素子により電気信号に変換して出力するようにした画像読取り装置において、前記画像読取り手段の構成として、前記光源を画像読取り手段の本体側に固定し、前記光源からの光を反射して前記照射部材の側端部より導光する反射導光部材を備えたことを特徴とするものである。
【００１５】
請求項２に記載した画像読取り装置は、請求項１に記載した構成に加えて、前記反射導光部材を、前記移動照射手段の主走査方向側端部に設け、前記光源を、前記移動照射手段の主走査方向側端部側で前記反射導光部材と対向する位置に設けたことを特徴とするものである。
【００１６】
請求項３に記載した画像読取り装置は、請求項１または２に記載した構成に加えて、前記光源による照射光を平行光としたことを特徴とするものである。
【００１７】
請求項４に記載した画像読取り装置は、請求項１乃至３のうちの何れか一項に記載し
た構成に加えて、前記光源の構成として、点光源とレンズ部材とを備えたことを特徴とするものである。
【００１８】
請求項５に記載した画像読取り装置は、請求項１乃至４のうちの何れか一項に記載した構成に加えて、前記光源として、ＬＥＤを用いることを特徴とするものである。
【００１９】
請求項６に記載した画像読取り装置は、請求項１乃至４のうちの何れか一項に記載した構成に加えて、前記光源として、レーザ光源を用いることを特徴とするものである。
【００２０】
請求項７に記載した画像読取り装置は、請求項１乃至６のうちの何れか一項に記載した構成に加えて、前記光路長調整手段の構成として、前記移動照射手段の移動量に応じて、前記光源から原稿照射面までの距離を一定に保つ光路長調整機能を備えたことを特徴とするものである。
【００２１】
請求項８に記載した画像読取り装置は、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子と、前記照射部材から原稿に照射された光を反射するとともに前記移動照射手段の移動量に対応して移動して光源から光電変換素子までの光路長を一定にする光路長調整手段とを有する画像読取り手段を備え、原稿画像をライン毎に走査して前記光電変換素子により電気信号に変換して出力するようにした画像読取り装置において、前記画像読取り手段の構成として、前記光源を画像読取り手段の本体側に固定し、前記光路長調整手段の構成として、前記移動照射手段の移動量に応じて前記光源から原稿照射面までの光路の距離を一定に保つ第１の照射光反射部材と、前記移動照射手段の移動量に応じて原稿照射面から前記光電変換素子までの光路の距離を一定に保つ第２の照射光反射部材とを備えたことを特徴とするものである。
【００２２】
請求項９に記載した画像読取り装置は、請求項８に記載した構成に加えて、前記光路長調整手段の構成として、前記第１の照射光反射部材を通る光路と前記第２の照射光反射部材を通る光路とがそれぞれ干渉しない領域で略平行になるように、前記第１の照射光反射部材及び第２の照射光反射部材とを並設したことを特徴とするものである。
【００２３】
請求項１０に記載した画像読取り装置は、請求項８または９に記載した構成に加えて、前記光路長調整手段の構成として、前記第１の照射光反射部材と第２の照射光反射部材とを一体的に移動可能に備えたことを特徴とするものである。
【００２４】
請求項１１に記載した画像読取り装置は、請求項１乃至１０のうちの何れか一項に記載した構成に加えて、前記照射部材を、拡散板等を用いて入射した光を拡散させて出射する拡散照射機能を備えたことを特徴とするものである。
【００２５】
請求項１２に記載した画像形成装置は、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有する画像読取り手段を備え、原稿画像をライン毎に走査して前記光電変換素子により電気信号に変換して出力するようにした画像読取り装置が搭載された画像形成装置において、前記画像読取り装置として、請求項１乃至１１のうちの何れか一項に記載の画像読取り装置を備えたことを特徴とするものである。
【発明の効果】
【００２６】
請求項１に記載した発明によれば、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有する画像読取り手段を備え、原稿画像をライン毎に走査して前記光電変換素子により電気信号に変換して出力するようにした画像読取り手段を備えた画像読取り装置において、前記画像読取り手段の構成として、前記光源を画像読取り手段の本体側に固定し、前記光源からの光を反射して前記照射部材の側端部より導光する反射導光部材を備えたことで、従来のようにミラーベース等（移動照射手段）に光源を設ける必要が無いため、光源へ電力供給するハーネスが不要となり、ミラーベースの移動によりハーネスが磨耗することが無く、さらに、画像読取り操作において動作性能の良い画像読取り手段を実現できるとともに、移動照射手段による原稿読取り位置に関わらず、光電変換素子への照射光量を安定させることができる。
【００２７】
また、請求項２〜１０に記載の発明によれば、請求項１に記載の発明で得られる上記共通の効果に加え、次の効果を得ることができる。
【００２８】
すなわち、請求項２に記載した発明によれば、前記反射導光部材を、前記移動照射手段の主走査方向側端部に設け、前記光源を、前記移動照射手段の主走査方向側端部側で前記反射導光部材と対向する位置に設けたことで、光源から照射される照射光の光路に必要なスペースを小さくすることができるので、省スペースな画像読取り装置を実現できる。
【００２９】
請求項３に記載した発明によれば、請求項１または２に記載の発明で得られる効果に加えて、前記光源による照射光を平行光としたことで、光が拡散することなく高効率で反射導光部材に導光することができる。
【００３０】
請求項４に記載した発明によれば、請求項１乃至３のうちの何れか一項に記載の発明で得られる効果に加えて、前記光源の構成として、点光源とレンズ部材とを備えたことで、簡単な構成で光源から照射される光を平行光にすることができ、光が拡散することなく高効率で反射導光部材に導光することができる。
【００３１】
請求項５に記載した発明によれば、請求項１乃至４のうちの何れか一項に記載の発明で得られる効果に加えて、前記光源としてＬＥＤを用いることで簡単で且つ安定した平行光を得ることができる。
【００３２】
請求項６に記載した発明によれば、請求項１乃至４のうちの何れか一項に記載の発明で得られる効果に加えて、前記光源としてレーザ光源を用いることで簡単で且つ安定した平行光を得ることができる。
【００３３】
請求項７に記載した発明によれば、請求項１乃至６のうちの何れか一項に記載の発明で得られる効果に加えて、前記光路長調整手段の構成として、前記移動照射手段の移動量に応じて、前記光源から原稿照射面までの距離を一定に保つ光路長調整機能を備えたことで、原稿を常に一定の光量で照射することができるので、安定した画像情報を得ることができる。
【００３４】
請求項８に記載した発明によれば、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子と、前記照射部材から原稿に照射された光を反射するとともに前記移動照射手段の移動量に対応して移動して光源から光電変換素子までの光路長を一定にする光路長調整手段とを有する画像読取り手段を備え、原稿画像をライン毎に走査して前記光電変換素子により電気信号に変換して出力するようにした画像読取り手段を備えた画像読取り装置において、前記画像読取り手段の構成として、前記光源を画像読取り手段の本体側に固定し、前記光路長調整手段の構成として、前記移動照射手段の移動量に応じて前記光源から原稿照射面までの光路の距離を一定に保つ第１の照射光反射部材と、前記移動照射手段の移動量に応じて原稿照射面から前記光電変換素子までの光路の距離を一定に保つ第２の照射光反射部材（例えば、２・３ミラー）とを備えたことで、原稿を常に一定の光量で照射することができるので、安定した画像情報を得ることができる。
【００３５】
請求項９に記載した発明によれば、請求項８に記載の発明で得られる効果に加えて、前記光路長調整手段の構成として、前記第１の照射光反射部材を通る光路と前記第２の照射光反射部材を通る光路とがそれぞれ干渉しない領域で略平行になるように、前記第１の照射光反射部材及び第２の照射光反射部材とを並設したことで、光路長調整手段の移動方向に沿った方向の長さを短くできるので、該光路長調整手段を簡単で且つ省スペースで構成することができる。
【００３６】
請求項１０に記載した発明によれば、請求項８または９に記載の発明で得られる効果に加えて、前記光路長調整手段の構成として、前記第１の照射光反射部材と第２の照射光反射部材とを一体的に移動可能に備えたことで、原稿を常に一定の光量で照射するとともに、原稿から光電変換素子までの距離を一定にできるため、該光電変換素子を一定の光量で照射することで安定した画像情報を得ることができる。
【００３７】
請求項１１に記載した発明によれば、請求項１乃至１０のうちの何れか一項に記載の発明で得られる効果に加えて、前記照射部材を、拡散板等を用いて入射した光を拡散させて出射するように構成したことで、原稿に対して安定して光を照射することができる。
【００３８】
請求項１２に記載した発明によれば、原稿を照明する光源と、光源からの照射光を原稿に向けて照射する照射部材と、前記照射部材を主走査方向に対して垂直方向に移動させる移動照射手段と、前記光源により照明された原稿から反射した画像光を結像する結像レンズと、前記結像レンズで結像された画像光を読取る光電変換素子とを有有する画像読取り手段を備え、原稿画像をライン毎に走査して前記光電変換素子により電気信号に変換して出力するようにした画像読取り装置が搭載された画像形成装置において、前記画像読取り装置として、請求項１乃至１１のうちの何れか一項に記載の画像読取り装置を備えたことで、画像読取り操作において動作性能が良く、しかも原稿読取り位置に関わらず、原稿から光電変換素子へ照射される光量を安定させることができるので、安定した画像情報により高品位な画像出力を可能にした画像形成装置を実現できる。
【発明を実施するための最良の形態】
【００３９】
以下、本発明の実施の形態について図面を参照して詳細に説明する。
（第１の実施形態）
図１，図２は本発明を実施する形態の一例であって、図１は本発明の一実施形態に係る画像形成装置の全体の構成を示す斜視図、図２は前記画像形成装置の内部の構成を示す側面断面図、図３は前記画像形成装置に搭載される画像読取り装置を構成するスキャナ部の構成の一例を示す説明図、図４は前記スキャナ部の構成を示す概略斜視図、図５は前記スキャナ部を構成する露光ランプのその他の例を示す説明図である。
【００４０】
本実施形態に係る画像形成装置１は、原稿Ｇの画像情報を読取る画像読取り装置４０Ａを備え、該画像読取り装置４０Ａによって読取られた原稿Ｇの画像情報を電子写真方式によって記録媒体となる所定のシート状の記録用紙（以下、用紙と称する。）にモノクロ画像として出力形成するものである。
【００４１】
画像形成装置１は、図１，図２に示すように、装置本体１ａの上面部に、原稿Ｇが載置される透明ガラスからなる原稿載置台（例えば、プラテンガラス）２が設けられている。
【００４２】
この原稿載置台２の上方には、自動原稿処理装置４０が設けられ、一方、この原稿載置台２の下方には、原稿Ｇの画像情報を読取る画像読取り部を構成するスキャナ部（画像読取り手段）３が配置されている。
【００４３】
これら原稿載置台２、スキャナ部３及び自動原稿処理装置４０等により画像読取り装置４０Ａが構成されている。
【００４４】
スキャナ部３の下方には、画像形成部１０、定着装置３０及び排紙部２２が構成され、さらに、その下方には、記録媒体たる記録用紙が収容された給紙カセット２３が配設されている。
【００４５】
スキャナ部３は、図２〜４に示すように、主に、原稿載置台２の下方に配置されて平行に往復移動する第１の走査ユニット（移動照射手段）４及び第２の走査ユニット（光路長調整手段）５と、光学レンズ体（結像レンズ）６と、ＣＣＤ（光電変換素子）７を備えた原稿画像読取りユニット７Ａ及び露光ランプ（光源）３Ａにより構成されている。
【００４６】
露光ランプ３Ａは、光源３Ａ１と光学レンズ体３Ａ２を有し、スキャナ部３本体内部の一端部側において、第１の走査ユニット４の主走査方向側端部側に対向する位置で、且つ、第１の走査ユニット４及び第２の走査ユニット５の動作と干渉しない領域に固定され、スキャナ部３の副走査方向に沿って第１の走査ユニット４に向かい照射するようになっている。
図中において、露光ランプ３Ａからの照射光の光路を一点鎖線で示す。
【００４７】
尚、光源として、図５に示すように、ＬＥＤ１０３Ａ１を用いて凸状の光学レンズ体１０３Ａ２により平行光を照射するように構成した露光ランプ１０３Ａを用いても良い。
【００４８】
第１の走査ユニット４は、露光ランプ３Ａからの光を所定の方向に反射する反射導光ミラー（反射導光部材）４Ａと、反射導光ミラー４Ａにより反射された光を導入して原稿Ｇに向けて拡散させて照射する拡散板（照射部材）４Ｂ、及び第１のミラー４Ｃを内部に配置し、原稿載置台２の下面に対して一定の距離を保ちながらライン走査方向（主走査方向）に対して垂直方向（副走査方向）に所定の走査速度で平行に往復移動制御されている。
【００４９】
拡散板４Ｂは、原稿載置台２に対して均一な間隙をとって主走査方向に沿って長く延設され、その一端部から露光ランプ３Ａからの照射光を内部に導入して拡散し、原稿載置台２に対向する面から原稿Ｇ向かい照光するようにされている。
【００５０】
反射導光ミラー４Ａは、第１の走査ユニット４の主走査方向側端部において、拡散板４Ｂの一端部と斜めに対向するように配置され、露光ランプ３Ａからの照射光を拡散板４Ｂの一端部から内部に向かい該拡散板４Ｂの長手方向に沿って導入するようにされている。
【００５１】
第１のミラー４Ｃは、拡散板４Ｂに対向して且つ拡散板４Ｂに沿って長く延設され、原稿Ｇからの反射光像を第２の走査ユニット５に向かい反射するように所定の角度で傾斜して配置されている。
【００５２】
第２の走査ユニット５は、通称「２・３ミラー」を構成するもので、図３に示すように、第１の走査ユニット４の第１のミラー４Ｃにより導かれた原稿Ｇからの反射光像を更に所定の方向に向かって導くための第２のミラー５Ａ及び第３のミラー５Ｂを有し、第１の走査ユニット４から原稿Ｇからの反射光像を反射して光学レンズ体６を通ってＣＣＤ７に照射するとともに、原稿ＧからＣＣＤ７へ到達するその光路長を一定にするために、第１の走査ユニット４の移動量に対応して移動量が制御され、第１の走査ユニット４と一定の速度関係を保って平行に往復移動制御されている。
【００５３】
光学レンズ体６は、第２の走査ユニット５の第３のミラー５Ｂにより導かれた原稿画像の反射光の光路上に配置され、その光像をＣＣＤ７に結像させるものである。
【００５４】
ＣＣＤ（電荷結合素子）７は、光学レンズ体６により結像された原稿画像の光像を読取って電気信号に光電変換することによって原稿画像情報（原稿画像データ）を作成するものであり、その原稿画像情報を後述する画像処理部５７（図６を参照）に向けて出力する。
【００５５】
画像処理部５７は、ＣＣＤ７が出力した原稿画像情報を、解像度や濃度等が印字に適した印字用画像情報（印字用画像データ）に画像処理するものである。画像処理後の印字用画像情報は、レーザスキャニングユニット（ＬＳＵ）８の画像データ入力部へと転送されるようになっている。
【００５６】
レーザスキャニングユニット８は、画像処理部５７から出力された印字用画像情報に応じたレーザ光を、画像形成部（画像形成プロセス）１０を構成する感光体ドラム１１の表面に照射する。これにより、感光体ドラム１１に印字用画像情報の静電潜像が書込み形成されるようになっている。
【００５７】
画像形成部１０は、図２に示すように、主に、矢印方向に回転駆動する感光体ドラム１１と、この感光体ドラム１１の表面を所定の電位に帯電させる主帯電器１２と、感光体ドラム１１表面に静電潜像の形成用のレーザ光を照射するレーザスキャニングユニット８と、そのレーザスキャニングユニット８からのレーザ光の照射によった静電潜像をトナーにより現像して顕像化する現像装置１３と、この現像装置１３にて顕像化された原稿画像のトナー像を後述する給紙カセット２３から給紙搬送路２５を介して給紙される用紙（「記録媒体」に相当：「転写紙」とも称する）Ｐ上に転写する転写ローラ１４及びこの転写ローラ１４による転写後の感光体ドラム１１上に残留する残留トナーをクリーニングするクリーニング装置１５とが、該感光体ドラム１１の回転方向に沿って順に配置されて構成されている。
【００５８】
画像形成部１０の主帯電器１２は、クリーニング装置１５によるクリーニング後の感光体ドラム１１表面の電荷を除電する図示しない除電装置の機能を有している。
【００５９】
定着装置３０は、図２に示すように、加熱ローラ３１と加圧ローラ３２とを備え、この加熱ローラ３１と加圧ローラ３２とにより用紙Ｐを挟持した状態で加熱ローラ３１を回転させて、加熱ローラ３１と加圧ローラ３２との間を通過させることにより、用紙Ｐ上に転写されたトナー像を溶融して用紙Ｐに定着するものである。
【００６０】
感光体ドラム１１と転写ローラ１４との間に挟持されてトナー像が転写された後の用紙Ｐは、感光体ドラム１１上から剥離されて該感光体ドラム１１と定着装置３０とを連絡する主搬送路１６を経由して、該定着装置３０の加熱ローラ３１と加圧ローラ３２との間に突入する。加熱ローラ３１と加圧ローラ３２との当接部には所定の押圧力によってニップ部が形成されている。
【００６１】
定着装置３０において、この加熱ローラ３１と加圧ローラ３２との間、つまりニップ部に挟持された用紙Ｐは、加熱ローラ３１による加熱と加圧ローラ３２による加圧によって当該用紙Ｐに前記感光体ドラム１１から転写された未定着トナー像の定着が行われるようになっている。
【００６２】
定着装置３０による定着後の用紙Ｐは、排紙搬送路１７に搬送されて排紙駆動ローラ１８にて排紙口２０側の排紙ローラ１９に向け搬送されるようになっている。
排紙搬送路１７に搬送される用紙Ｐは、定着装置３０の下流側に設けた、加熱ローラ３１と加圧ローラ３２との間を用紙Ｐが通過する状態を定着検知スイッチ２１Ａにて検知される。
【００６３】
通常の片面印字の場合には、そのまま排紙駆動ローラ１８及び排紙ローラ１９の回転駆動により、排紙口２０からスキャナ部３の下部空間に設置した排紙トレイ２２ａ上に排紙されるもので、この排紙ローラ１９の用紙Ｐの通過状態は、排紙ローラ１９の上流側に設けた排紙検知スイッチ２１Ｂにて検知されるようになっている。
【００６４】
用紙Ｐは、前記画像形成部１０の横に排紙され、かつ、その排紙された用紙Ｐは、給紙カセット２３の上方かつスキャナ部３の下方に排出される。
【００６５】
装置本体１ａの内底部側には、用紙Ｐが所定の用紙サイズ毎に積載収容された交換可能な給紙カセット２３が配置される。この給紙カセット２３の排紙側上部には、半月状の用紙ピックアップローラ２４が配置されている。
【００６６】
この用紙ピックアップローラ２４は、給紙カセット２３内に積載収容された用紙Ｐを最上層から１枚ずつピックアップし、下流側に向かって（便宜上の用紙Ｐの流れ出し側（カセット側）を上流、排紙側を下流とする）給紙搬送路２５のレジストローラ（「アイドルローラ」とも称する）２６まで搬送させるようになっている。
図中の符号Ｐａは用紙Ｐの前端部、Ｐｂは用紙Ｐの後端部を示す。
【００６７】
レジストローラ２６の上流側には、レジスト前検知スイッチ２１Ｃが設けられており、このレジスト前検知スイッチ２１Ｃは給紙カセット２３から給紙搬送される用紙Ｐを検知する。その信号を基に給紙タイミングを図りながら、上述した画像形成部１０に給紙するようになっている。
【００６８】
尚、両面印字を行う場合には、画像形成部１０による用紙Ｐの片面印字後、排紙搬送路１７に搬送された定着装置３０からの通過後の用紙Ｐを、一旦、排紙ローラ１９側に搬送し、この状態で、定着装置３０付近に配置された用紙切換えゲート２７を切換え制御して、排紙ローラ１９の逆転駆動により用紙Ｐをスイッチバックさせて用紙反転させる副搬送路２８に導入し、この副搬送路２８に設けた副駆動ローラ（反転ローラ）２９の回転駆動により、再びレジストローラ２６の上流側に用紙Ｐを搬送することにより、用紙Ｐの他面印字を行うようになっている。
【００６９】
装置本体１ａの原稿載置台２上には、原稿移動方式による両面原稿自動読取装置（Ｒ−ＳＰＦ）からなる原稿押え部（原稿押えカバー）５１ａを一体とした自動原稿処理装置４０が開閉自在に搭載され、スキャナ部３とともに画像読取り装置４０Ａが構成されている。
【００７０】
画像読取り装置４０Ａは、従来機と同様な操作で一枚ごとの原稿読取処理を行うことが可能であり、自動原稿処理装置４０を搭載することで、原稿Ｇの両面読取が可能となるとともに、複数枚の原稿Ｇの自動連続読取処理が可能となっている。
【００７１】
自動原稿処理装置４０は、図２に示すように、原稿Ｇが載置される原稿トレイ４１を有し、連続的に複数の原稿Ｇの読取処理を行う場合、この原稿トレイ４１上に載置された原稿Ｇを原稿ピックアップローラ４２にてピックアップして、原稿駆動ローラ４３を介して原稿Ｇを原稿搬送路４４に導入してレジストローラ（ＰＳローラ）４５の上流側に案内搬送されるようになっている。
【００７２】
このＰＳローラ４５の上流側には、原稿Ｇの原稿サイズが検出可能にするため原稿入紙センサ４６が設けられ、この原稿入紙センサ４６にて原稿Ｇの先端及び後端を検知し、その信号を基に搬送タイミングを図りながら、原稿Ｇを原稿載置台２の片側に隣接させて配置したスリットガラスからなる原稿読取り台９上に向け搬送制御するようになっている。
【００７３】
この場合、スキャナ部３の第１の走査ユニット４は、原稿読取り台９の下方に待機し位置するように移動制御されている。
【００７４】
この原稿読取り台９上に搬送される原稿Ｇは、その移動と共に片面側の第１画像読取り面Ｇ１が画像読取り位置でスキャナ部３の第１の走査ユニット４にて走査される。この画像読取り位置には、原稿とスキャナ部３との距離を均一にするコンタクトガラス１０２が設けられている。
その他のＣＣＤ７での読取り、画像情報の画像処理、印字などの画像形成処理は上述と同様である。
【００７５】
そして、コンタクトガラス１０２上での画像読取り後の原稿Ｇは、搬送ローラ４７を介して原稿排紙路４８の原稿排紙ローラ４９側に搬送される。
片面読取りのみ場合は、原稿切換えゲート５０の切換え制御により原稿排紙トレイ５１上に排紙されるようになっている。
【００７６】
一方、両面画像読取りを行う場合は、原稿Ｇを原稿切換えゲート５０の切換え制御により、一旦、原稿トレイ４１と原稿排紙トレイ５１との間に配置された中間トレイ５２上に向け排紙した後、原稿排紙ローラ４９を逆転駆動させてスイッチバックさせることにより、原稿反転路５３に導入し、再び、原稿搬送路４４に原稿Ｇを搬送することにより、原稿Ｇの裏側の画像読取り面Ｇ２の原稿画像の読取りが行われるとともに、上述した片面印字工程と同様に、用紙Ｐの第１印字面Ｐ１に原稿Ｇの裏面側の原稿画像が印字されるようになっている。
【００７７】
この用紙Ｐの第１印字面Ｐ１への印字工程が終了すると、用紙Ｐは、上述した用紙反転機構にて反転され、再び、画像形成部１０に搬送されて、その第１印字面Ｐ２に、予めメモリに記憶された原稿Ｇの表面側の原稿画像が印字される。
【００７８】
画像形成装置１における装置本体１ａの上部側の前面部には、図１に示すように、使用者が用紙Ｐの用紙種類（用紙寸法のほか、用紙の厚み等）、印刷枚数、倍率、濃度等の画像形成条件を設定する操作スイッチ類７６が配設されている。
【００７９】
排紙部２２は、主に、排紙搬送路１７、排紙駆動ローラ１８、排紙ローラ１９、排紙口２０及び排紙トレイ２２ａより構成されている。
排紙口２０の外側（排紙トレイ２２ａ側）には、満杯検知センサとも称される用紙積載量検出センサ２１Ｄが設けられている。
【００８０】
用紙積載量検出センサ２１Ｄは、主に、排出されて積載された用紙が当接した時に動作する検出体２１Ｄ１と、検出体２１Ｄ１の動作に応じて信号を出力するセンサ本体２１Ｄ２とにより構成されている。
【００８１】
検出体２１Ｄ１は、棒状を呈し、一端部がセンサ本体２１Ｄ２側に係合され、その一端部を支点として他端部側が揺動可能に設けられ、装置側（排紙口２０側）より外側に向かい且つ斜め下方に傾倒して配置されている。
【００８２】
そして、用紙積載量検出センサ２１Ｄは、排出された用紙が積載されて所定量（高さ）に達した時に、検出体２１Ｄ１の他端部が上方に押し上げられることでセンサ本体２１Ｄ２より検出信号を出力するようになっている。
【００８３】
次に、本実施形態の画像形成装置を構成する用紙搬送路の構成について説明する。
画像形成装置１の用紙搬送路は、図２に示すように、主に、装置下部に設けられた給紙カセット２３から上方に向かい画像形成部１０に用紙を搬送する給紙搬送路２５と、画像形成部１０から定着装置３０を通って排紙駆動ローラ１８に向かい用紙を搬送する主搬送路１６と、排紙駆動ローラ１８から排紙ローラ１９に向かい用紙を搬送する排紙搬送路１７と、排紙ローラ１９の逆転駆動と反転ローラ２９により用紙Ｐをスイッチバックさせて用紙反転させる副搬送路２８とで構成されている。
【００８４】
給紙搬送路２５は、用紙搬送方向で用紙ピックアップローラ２４の用紙搬送方向下流側に、用紙がダブルフィードされた場合に１枚ずつさばくためのサバキローラ（図示省略）が設けられ、画像形成部１０の感光体ドラム１１の下側（用紙搬送方向上流側）に近接して設けられたレジストローラ２６まで緩やかに湾曲して略直線的に設けられている。
【００８５】
主搬送路１６は、レジストローラ２６の下流側から画像形成部１０を通って定着装置３０まで略直線的に形成され、定着装置３０の出口側（用紙搬送方向下流側）から略上方に向かい排紙駆動ローラ１８（図中左方向）に向かって湾曲した湾曲部１６ａが設けられている。
【００８６】
排紙搬送路１７は、排紙駆動ローラ１８と排紙ローラ１９との間に略直線的に設けられている。排紙駆動ローラ１８は、排紙搬送路１７に用紙を搬送する第１搬送ローラ１８ａと、排紙搬送路１７の途中に設けられた第２搬送ローラ１８ｂとにより構成されている。尚、排紙駆動ローラ１８の構成はこれに限定されるものではない。
【００８７】
副搬送路２８は、排紙ローラ１９の逆転駆動により用紙Ｐをスイッチバックさせて用紙反転させて搬送するために、主搬送路１６の湾曲部１６ａと連通して、用紙切換えゲート２７の切換えにより用紙Ｐを反転ローラ２９によって装置の下方に搬送して再びレジストローラ２６に搬送するように構成されている。
【００８８】
具体的には、副搬送路２８は、排紙搬送路１７から逆方向に搬送された用紙Ｐを装置下方に方向を変えるための第１湾曲部２８ａと、装置下方に搬送された用紙Ｐをレジストローラ２６側に方向を変えるための第２湾曲部２８ｂとを備えている。
【００８９】
副搬送路２８に設けられる反転ローラ２９として、第１湾曲部２８ａを挟んで用紙搬送方向上流側に第１反転ローラ２９ａと下流側に第２反転ローラ２９ｂとが設けられ、第２湾曲部２８ｂを挟んで用紙搬送方向上流側に第３反転ローラ２９ｃと下流側に第４反転ローラ２９ｄとが設けられている。
【００９０】
次に、実施形態に係る画像形成装置１の制御系について説明する。
図６は本実施形態に係る画像形成装置の電気制御部の構成を示すブロック図である。
実施形態に係る画像形成装置１は、図６に示すように、画像の読取り処理、画像処理、画像形成処理、および用紙Ｐの搬送処理等をＲＯＭ（Read Only Memory）５５に予め記憶されたプログラムにしたがって中央処理ユニット（ＣＰＵ）５４がＲＡＭ（Random access Memory）５６等の一時的記憶手段を用いて処理を実行する。尚、ＲＯＭ５５やＲＡＭ５６に代えてＨＤＤ（ハードディスクドライブ）などの記憶手段を用いることができる。
【００９１】
画像形成装置１において、スキャナ部（原稿読み取り部）３によって読取った原稿の画像情報（原稿画像データ）、または、図示しない通信ネットワークに繋がれた各端末装置から送信された原稿画像情報は、通信処理部５８を介して画像処理部５７に入力されるようになっている。
【００９２】
画像処理部５７は、ＲＡＭ５６等の記憶部に記憶された原稿画像情報を印字（用紙への画像形成）に適した印字用画像に上記のプログラムによって処理するものである。
【００９３】
印字用画像情報は画像形成部１０に入力される。
画像形成部１０、用紙搬送部（給紙搬送路２５、主搬送路１６、副搬送路２８、（これらはペーパーガイドとも称する。）において用紙Ｐの各種検出・制御を行う。）５９、定着装置３０、排紙処理部（排紙搬送路１７において用紙Ｐの各種の検出・制御を行う。）６０は、各々の駆動制御部６２と連動している。
【００９４】
用紙搬送部５９によって搬送する用紙Ｐ上に印字工程（画像形成部１０においての画像情報の印字処理）と、その後に、その印字処理された用紙Ｐに対する定着工程（定着装置３０）を経て用紙排出部（排紙トレイ２２ａ）に排出されるようになっている。
尚、用紙搬送部５９には、定着検知スイッチ２１Ａ、排紙検知スイッチ２１Ｂ、レジスト前検知スイッチ２１Ｃ等からの検出信号が入力されるようになっている。
【００９５】
画像形成装置１は、運転条件設定部７７が設けられる。この運転条件設定部７７は、操作スイッチ類７６によって使用者が設定して画像形成要求または記録媒体の種類等の画像形成条件にしたがって、画像形成装置１の画像形成、または搬送条件等の運転条件を設定するものである。
【００９６】
また、画像形成装置１は、設定された前記運転条件にしたがって、前記スキャナ部３、用紙搬送部５９、画像形成部１０、定着装置３０および排紙処理部６０などの駆動用アクチュエータである画像読取り駆動部６４、用紙搬送駆動部６６、印字処理駆動部６８、定着駆動部７０および排紙駆動部７２を、ＲＯＭ５５に記憶されたプログラムに基づく、ＣＰＵ５４の指令にしたがった同期した動作を駆動制御部６２の制御によって行うようになっているものである。
【００９７】
排紙処理部６０は、印字された用紙を排紙トレイに排出する排紙処理を行うための制御を行うものであり、用紙積載量検出センサ２１Ｄから出力された信号に基づき排紙処理を行うものである。
【００９８】
画像読取り駆動部６４は、スキャナ部３の第１走査ユニット４、第２走査ユニット５の駆動用アクチュエータを含むものである。
用紙搬送駆動部６６は、用紙搬送部５９、具体的には、上述の給紙搬送路２５上の用紙ピックアップローラ２４、レジストローラ２６の駆動用モータである。
印字処理駆動部６８は、感光体ドラム１１の駆動用モータである。
定着駆動部７０は、定着装置３０の加熱ローラ３１および加圧ローラ３２の駆動用モータである。
【００９９】
排紙駆動部７２は、排紙駆動ローラ１８、排紙ローラ１９などの駆動用モータである。これらの各駆動部の駆動用モータは、それぞれ同じまたは異なるモータを駆動源として適宜に動力伝達機構を介して構成できる。
【０１００】
また、画像形成装置１には、オプション構成７４として、自動原稿処理装置（原稿搬送手段）４０等が配置可能であり、それらオプション構成７４は上記画像形成装置１の制御部とは別に各々のオプション構成７４内に制御部７４ａを持ちながら、前記通信処理部５８を介して装置とのタイミング調整を同期するように構成されている。
【０１０１】
記録媒体検出手段７８は、定着装置３０または搬出部に記録媒体の先端が到達することを検出するものである。記録媒体検出手段７８は、本実施形態では、定着装置３０および排紙駆動ローラ１８のそれぞれに用紙Ｐが到達する（突入する）タイミングを、後述する搬送タイミング検出手段７９ｂによって検出した記録媒体の搬送タイミングに基づいて検出するようにしている。
【０１０２】
具体的には、記録媒体検出手段７８は、給紙搬送路２５入り口において用紙Ｐを導入するレジストローラ２６から用紙Ｐが送り出された後の用紙Ｐの搬送時間を計測する搬送時間計測手段７９ａと、このレジストローラ２６から制御対象の定着装置３０および排紙駆動ローラ１８のそれぞれまでの距離と用紙Ｐの搬送速度に基づき、主搬送路１６および排紙搬送路１７における用紙Ｐの搬送タイミングを検出する搬送タイミング検出手段７９ｂとを有している。
【０１０３】
次に、本実施形態に係るスキャナ部３による画像読取りについて図面を参照して詳細に説明する。
図７は本実施形態に係る画像読取り装置のスキャナ部の制御を説明するブロック図、図８は前記スキャナ部を構成する第１の走査ユニットによる照射状態を示す側面視による説明図、図９は図８のＡ矢視図であって前記第１の走査ユニットによる照射状態を示す平面視による説明図、図１０は図８のＢ矢視図であって前記第１の走査ユニットによる照射状態を示す正面視による説明図である。
【０１０４】
スキャナ部３による画像読取りは、図７に示すように、露光ランプ３Ａにより原稿Ｇを照射して、その原稿Ｇからの反射光像をＣＣＤ７（ＣＣＤ基板７Ｂ）により読込まれる。
【０１０５】
露光ランプ３Ａより照射された光は、図８，図９に示すように、反射導光ミラー４Ａにより拡散板４Ｂに導入され、拡散板４Ｂによって原稿Ｇに照射される。
【０１０６】
拡散板４Ｂは、側方から照射された光が図中上方の原稿Ｇに向かうように拡散面４Ｂ１が斜めに形成されている。この拡散面４Ｂ１は、照射された光が乱反射して拡散するように反射面が凹凸状になっている。これにより、拡散板４Ｂに導入された光は、図１０に示すように、照射された光が原稿Ｇに向かい拡散して照射される。
【０１０７】
このような構成により、原稿Ｇを照射する光が拡散板４Ｂによって拡散して照射されるため、原稿Ｇの照射される部分（画像読取り位置）の照射光量を大きく変動することなく均一に照射することができる。
【０１０８】
尚、拡散面４Ｂ１は、照射された光が乱反射して拡散するように凹凸状に形成されているが、本発明は拡散部材の構造をこれに限定するものではなく、拡散板４Ｂに導入された光が拡散する機能を有するものであれば良い。
【０１０９】
拡散面４Ｂ１によって照射された原稿Ｇからの反射光像は、第１のミラー４Ｃによって第２の走査ユニット５に導かれる。第２の走査ユニット５に導かれた反射光像は、第２のミラー５Ａ、第３のミラー５Ｂにより光路を変えて、光学レンズ体６を通ってＣＣＤ７に照射される。
【０１１０】
ＣＣＤ７に照射された反射光像は、ＣＣＤ７によって変換されて画像データとしてＲＯＭ５５、ＲＡＭ５６に一時的に記憶される。そして、その画像データに基づきＣＰＵ５４や予め入力されたプログラムによって画像処理され、画像処理部５７に具備された書込み機能５７ａによって出力処理される。
【０１１１】
スキャナ部３の駆動制御は、原稿読取り駆動部６４に具備された照射光の光路の距離を一定にする光路長調整機能（スキャナモータ駆動制御）６４ａにより、スキャナ部３による画像読取り動作に対応して第１の走査ユニット４及び第２の走査ユニット５の駆動が制御される。
これにより、第１の走査ユニット４及び第２の走査ユニット５が、原稿ＧからＣＣＤ７に至る反射光の光路の距離が一定になるように、且つ、第１の走査ユニット及び第２の走査ユニット５が一定の速度関係を保って往復移動するように制御される。
【０１１２】
尚、第１の走査ユニット４及び第２の走査ユニット５がワイヤ駆動機構などにより一体的に駆動するように構成した場合は、光路長調整機能６４ａによる駆動制御は不要となる。
【０１１３】
以上のように構成したので、本実施形態によれば、拡散板４Ｂによって露光ランプ３Ａから照射される光を拡散して原稿Ｇに照射するようにしたので、原稿Ｇの照射される部分の照射光量を大きく変動することなく均一に照射することができる。
また、本実施形態によれば、第２の走査ユニット５を設けることで原稿ＧからＣＣＤ７に至る照射光の光路の距離が一定となるようしたので、第１の走査ユニット４による原稿読取り位置に関わらず、原稿ＧからＣＣＤ７へ照射される光量を安定させることができるので、原稿Ｇから安定した画像情報を得ることができ、より高品位な画像出力を可能にできる。
【０１１４】
また、本実施形態によれば、光源としてＬＥＤ１０３Ａ１を用いた露光ランプ１０３Ａを用いることで、照射される光を平行光にしてより安定した原稿Ｇへの照射を実現できる。また、光源としてレーザ光を用いることで同様な効果をすることができる。
【０１１５】
（第２の実施形態）
次に、本発明の第２の実施形態について図面を参照して詳細に説明する。
図１１は本発明の第２の実施形態に係る画像読取り装置を構成するスキャナ部の構成の一例を示す説明図、図１２は前記スキャナ部を構成する露光ランプの構成を示す説明図である。
【０１１６】
本実施形態に係る画像読取り装置が搭載される画像形成装置は、第１の実施形態に係る画像形成装置と略同様な構成および機能を備えるものとする。従って、本実施形態に係る画像形成装置及び画像読取り装置の基本的な構成と同一の構成については、第１実施形態の構成と同一の符号を付することで説明を省略する。
【０１１７】
本実施形態に係るスキャナ部２０３は、図１１，図１２に示すように、主に、原稿載置台２の下方に配置されて平行に往復移動する第１の走査ユニット（移動照射手段）２０４及び第２の走査ユニット（光路長調整手段）２０５と、ＣＣＤ（光電変換素子）７を備えた原稿画像読取りユニット７Ａ及び露光ランプ（光源）２０３Ａにより構成されている。
【０１１８】
露光ランプ２０３Ａは、図１２に示すように、主に、主走査方向に沿って長い冷陰極線管として、例えば蛍光ランプ管２０３Ａ１と、蛍光ランプ管２０３Ａ１からの光を一方向に照射する集光体（以下、リフレクタと称する。）２０３Ａ２と、第１の光学レンズ体２０３Ａ３及び第２の光学レンズ体２０３Ａ４を有し、図１１に示すように、スキャナ部２０３本体内部のＣＣＤ７の近傍で、第１の走査ユニット２０４及び第２の走査ユニット２０５の動作と干渉しない領域に固定され、スキャナ部２０３の副走査方向に沿って第２の走査ユニット５に向かい照射するようになっている。
図中において、露光ランプ２０３Ａからの照射光の光路を一点鎖線で示す。
【０１１９】
リフレクタ２０３Ａ２は、図１２に示すように、蛍光ランプ管２０３Ａ１の長手方向に沿って該蛍光ランプ管２０３Ａ１の外周を包囲するとともに、副走査方向に向かい、且つ走査方向に沿って長く開口部２０３Ａ２１が形成されている。
【０１２０】
第１の走査ユニット２０４は、露光ランプ２０３Ａから出射された光を導入して原稿Ｇに向けて拡散させて照射する拡散板（照射部材）２０４Ｂ、及び第１のミラー２０４Ｃを内部に配置し、原稿載置台２の下面に対して一定の距離を保ちながらライン走査方向（主走査方向）に対して垂直方向（副走査方向）に所定の走査速度で平行に往復移動制御されている。
【０１２１】
拡散板２０４Ｂは、原稿載置台２に対して均一な間隙をとって主走査方向に沿って長く延設され、露光ランプ２０３Ａからの照射光を内部に導入して拡散し、原稿載置台２に対向する面から原稿Ｇ向かい照光するようにされている。
【０１２２】
尚、本実施形態の変形例として、この拡散板２０４Ｂに代えて、照射部材として反射鏡を設け、該反射鏡により反射鏡２０５Ａ２からの照射光を原稿Ｇに向けて反射して、原稿Ｇを照射するようにしたものであっても良い。
【０１２３】
第１のミラー２０４Ｃは、拡散板２０４Ｂに対向して且つ拡散板２０４Ｂに沿って長く延設され、原稿Ｇからの反射光像を第２の走査ユニット２０５に向かい反射するように所定の角度で傾斜して配置されている。
【０１２４】
第２の走査ユニット２０５は、第１の走査ユニット２０４の移動量に応じて露光ランプ２０３Ａから原稿照射面までの光路の距離を一定に保つ第１のミラーユニット（第１の照射光反射部材）２０５Ａと、第１の走査ユニット２０４の移動量に応じて原稿照射面からＣＣＤ７までの光路の距離を一定に保つ第２のミラーユニット（第２の照射光反射部材）２０５Ｂを備えている。第２のミラーユニット２０５Ｂは、通称「２・３ミラー」と称されている。
【０１２５】
第１のミラーユニット２０５Ａは、露光ランプ２０３Ａから図中で略水平に照射される照射光を図中で略垂直に上方へ反射する反射ミラー２０５Ａ１と、反射ミラー２０５Ａ１で反射した光を拡散板２０４Ｂに略水平に照射する反射ミラー２０５Ａ２とを備えている。
【０１２６】
第２のミラーユニット２０５Ｂは、第１の走査ユニット２０４の第１のミラー２０４Ｃで反射した原稿Ｇからの反射光像を図中で略水平に導入して略垂直に下方に反射する反射ミラー２０５Ｂ１と、反射ミラー２０５Ｂ１で反射した反射光像をＣＣＤ７に向かい略水平に照射する反射ミラー２０５Ｂ２とを備えている。
【０１２７】
次に、本実施形態に係るスキャナ部２０３による画像読取りについて図面を参照して詳細に説明する。
スキャナ部２０３による画像読取りは、図１１に示すように、露光ランプ２０３Ａにより第１のミラーユニット２０５Ａ及び拡散板２０４Ｂを介して原稿Ｇを照射して、その原稿Ｇからの反射光像を第２のミラーユニット２０５Ｂを介してＣＣＤ７（ＣＣＤ基板７Ｂ）により読込まれる。
【０１２８】
露光ランプ３Ａより照射された光は、第２の走査ユニット２０５の第１のミラーユニット２０５Ａによって拡散板２０４Ｂに導入され、拡散板２０４Ｂにより原稿Ｇに照射される。拡散板２０４Ｂに導入された光は、拡散板２０４Ｂの有する拡散機能（第１の実施形態と同様）により原稿Ｇに向かい拡散して照射するようになっている。
【０１２９】
このような構成により、原稿Ｇを照射する光が拡散板２０４Ｂによって拡散して照射されるため、原稿Ｇの照射される部分の照射光量を大きく変動することなく均一に照射することができる。
【０１３０】
拡散板２０４Ｂによって照射された原稿Ｇからの反射光像は、第１のミラー２０４Ｃによって第２の走査ユニット２０５に導かれる。第２の走査ユニット２０５に導かれた反射光像は、第２のミラーユニット２０５Ｂの反射ミラー２０５Ｂ１，２０５Ｂ２により光路を変えてＣＣＤ７に照射される。
【０１３１】
ＣＣＤ７に照射された反射光像は、第１の実施形態と同様にＣＣＤ７によって画像データとして変換されてＲＯＭ５５、ＲＡＭ５６に一時的に記憶される。そして、その画像データに基づきＣＰＵ５４や予め入力されたプログラムによって画像処理され、画像処理部５７に具備された書込み機能５７ａによって出力処理される。
【０１３２】
スキャナ部２０３の駆動制御は、第１の実施形態と同様に原稿読取り駆動部６４に具備された照射光の光路の距離を一定にする光路長調整機能（スキャナモータ駆動制御）６４ａにより、スキャナ部２０３による画像読取り動作に対応して第１の走査ユニット２０４及び第２の走査ユニット２０５の駆動が制御される。
【０１３３】
これにより、第１の走査ユニット２０４及び第２の走査ユニット２０５が、露光ランプ２０３Ａから原稿Ｇに至る照射光の光路の距離が一定になるとともに、原稿ＧからＣＣＤ７に至る照射光の光路の距離が一定になるように、且つ、第１の走査ユニットと第２の走査ユニット２０５とが一定の速度関係を保って往復移動するように制御される。
【０１３４】
以上のように構成したので、本実施形態によれば、拡散板２０４Ｂによって露光ランプ２０３Ａから照射される光を拡散して原稿Ｇに照射するようにしたので、原稿Ｇの照射される部分の照射光量を大きく変動することなく均一に照射することができる。
【０１３５】
尚、本実施形態における拡散板２０４Ｂに代えて、照射部材として反射鏡を設け、該反射鏡により反射鏡２０５Ａ２からの照射光を原稿Ｇに向けて反射して、原稿Ｇを照射するようにしたものであっても良く、このような構成によっても同様な効果が期待できる。
【０１３６】
また、本実施形態によれば、第２の走査ユニット２０５に第１のミラーユニット２０５Ａと第２のミラーユニット２０５Ｂを略平行に一体的に並設し、露光ランプ２０３Ａから原稿Ｇに至る照射光の光路の距離が一定となるようにするとともに、原稿ＧからＣＣＤ７に至る照射光の光路の距離が一定となるようしたので、第１の走査ユニット２０４による原稿読取り位置に関わらず、第１のミラーユニット２０５Ａにより露光ランプ２０３Ａから原稿Ｇへの照射光を一定にするとともに、第２のミラーユニット２０５Ｂにより原稿ＧからＣＣＤ７へ照射される光量を安定させることができるので、原稿Ｇから安定した画像情報を得ることができ、より高品位な画像出力を可能にできる。
【０１３７】
また、本実施形態では、第２の走査ユニット２０５に第１のミラーユニット２０５Ａと第２のミラーユニット２０５Ｂを一体的に配置して同期して動作するように構成したので、第２の走査ユニット２０５の移動操作に係る構成要素を削減でき、コンパクトな装置構成を実現できるとともに、第２の走査ユニット２０５の移動量を少なくできるので高速化に対応した画像読取り装置および画像形成装置に最適である。
【０１３８】
尚、本実施形態では、光源として蛍光ランプ（冷陰極線管）２０３Ａ１を用いているが、本発明はこれに限定されるものではなく、その他の方式による光源を用いたものであっても良い。
【０１３９】
以下に、第２の実施形態の変形例として、その他の光源を用いた例について図面を参照して説明する。
図１３は第２の実施形態の変形例のその他の光源による主走査方向に沿った照射状態を示す説明図、図１４は前記光源による副走査方向に沿った照射状態を示す説明図である。
【０１４０】
この変形例は、図１３，図１４に示すように、スキャナ部３０３において、露光ランプ３０３Ａの構成として、複数のＬＥＤ３０３Ａ１を主走査方向に沿って並設し、それぞれのＬＥＤ３０３Ａ１に対応する光学レンズ体３０３Ａ２１を主走査方向に沿って複数並設したレンズアレイ３０３Ａ２を備えたものである。このような構成により、第２の実施形態の露光ランプ２０３Ａを用いた場合と同様な作用効果が得られる。
【０１４１】
尚、本発明は、上述した実施形態や変形例において説明した画像形成装置や画像読取り装置に限定されるものではなく、原稿に照射する光源を備えて、その光源によって照射された原稿の反射光像を光電変換素子により読取るような構成を有するものであれば、上述した実施形態や変形例とは異なる構成よりなる画像形成装置や画像読取り装置にも展開が可能である。
【図面の簡単な説明】
【０１４２】
【図１】図１は本発明の実施形態に係る画像形成装置の全体の構成を示す斜視図である。
【図２】前記画像形成装置の内部の構成を示す側面断面図である。
【図３】前記画像形成装置に搭載される画像読取り装置を構成するスキャナ部の構成の一例を示す説明図である。
【図４】前記スキャナ部の構成を示す概略斜視図である。
【図５】前記スキャナ部を構成する露光ランプのその他の例を示す説明図である。
【図６】前記画像形成装置の電気制御部の構成を示すブロック図である。
【図７】前記画像読取り装置のスキャナ部の制御を説明するブロック図である。
【図８】前記スキャナ部を構成する第１の走査ユニットによる照射状態を示す側面視による説明図である。
【図９】図８のＡ矢視図であって前記第１の走査ユニットによる照射状態を示す平面視による説明図である。
【図１０】図８のＢ矢視図であって前記第１の走査ユニットによる照射状態を示す正面視による説明図である。
【図１１】本発明の第２の実施形態に係る画像読取り装置を構成するスキャナ部の構成の一例を示す説明図である。
【図１２】前記スキャナ部を構成する露光ランプの構成を示す説明図である。
【図１３】第２の実施形態の変形例のその他の光源による主走査方向に沿った照射状態を示す説明図である。
【図１４】前記光源による副走査方向に沿った照射状態を示す説明図である。
【図１５】従来の画像読取り装置における画像読取り部の構成の一例を示す説明図である。
【符号の説明】
【０１４３】
１  画像形成装置
１ａ  装置本体
２  原稿載置台
３，２０３  スキャナ部（画像読取り手段）
３Ａ，１０３Ａ，２０３Ａ  露光ランプ（光源）
３Ａ１  光源
３Ａ２，１０３Ａ２，２０３Ａ３  光学レンズ体
４  第１の走査ユニット（移動照射手段）
４Ａ  反射導光ミラー（反射導光部材）
４Ｂ  拡散板（照射部材）
４Ｂ１  拡散面
４Ｃ  第１のミラー
５  第２の走査ユニット（光路長調整手段）
５Ａ  第２のミラー
５Ｂ  第３のミラー
６  光学レンズ体（結像レンズ）
７  ＣＣＤ（光電変換素子）
７Ａ  原稿画像読取りユニット
７Ｂ  ＣＣＤ基板
４０Ａ  画像読取り装置
５７  画像処理部
５７ａ  書込み機能
６２  駆動制御部
６４  原稿読取駆動部
６４ａ  光路長調整機能
２０３Ａ１  蛍光ランプ管
２０３Ａ２  リフレクタ
２０３Ａ２１  開口部
２０４  第１の走査ユニット（移動照射手段）
２０４Ｂ  拡散板
２０４Ｃ  第１のミラー
２０５  第２の走査ユニット
２０５Ａ  第１のミラーユニット（第１の照射光反射部材）
２０５Ａ１，２０５Ａ２  反射ミラー
２０５Ｂ  第２のミラーユニット（第２の照射光反射部材）
２０５Ｂ１，２０５Ｂ２  反射ミラー
Ｇ  原稿
【図１】
2007288377.tif 000003
【図２】
2007288377.tif 000004
【図３】
2007288377.tif 000005
【図４】
2007288377.tif 000006
【図５】
2007288377.tif 000007
【図６】
2007288377.tif 000008
【図７】
2007288377.tif 000009
【図８】
2007288377.tif 000010
【図９】
2007288377.tif 000011
【図１０】
2007288377.tif 000012
【図１１】
2007288377.tif 000013
【図１２】
2007288377.tif 000014
【図１３】
2007288377.tif 000015
【図１４】
2007288377.tif 000016
【図１５】
2007288377.tif 000017